(57)【要約】【課題】タンブラー自体に摩耗が発生せず、キーコード変換操作が誤動作を生じずに的確に行えるようにする。【解決手段】外筒１と、これに回転可能に挿入した内筒２と、内筒２に区画形成した仕切溝２ａに配した複数のタンブラー３および各タンブラー３に係合可能な複数のピニオン４と、各ピニオン４に対応して内筒２の一部に配置し、外筒１方向へ突出するよう押圧したサイドバー６とを備え、タンブラー３とピニオン４との係合位置を変更することにより当該タンブラー３の解錠位置を変更するタンブラー方式のシリンダー錠であって、前記タンブラー３を、当該タンブラー３の解錠稼動領域を回避した位置で固定可能とするスイングギア７を設ける。【選択図】図７
2008255644.tif 000002
【特許請求の範囲】
【請求項１】
外筒と、これに回転可能に挿入された内筒と、内筒に区画形成されている仕切溝に配された複数のタンブラーおよび各タンブラーに係合可能な複数のピニオンと、各ピニオンに対応して内筒の一部に配置され、外筒方向へ突出するよう押圧されたサイドバーとを備え、タンブラーとピニオンとの係合位置を変更することにより当該タンブラーの解錠位置を変更するタンブラー方式のシリンダー錠であって、前記タンブラーを、当該タンブラーの解錠稼動領域を回避した位置で固定可能とするスイングギアを設けたことを特徴とするタンブラー方式のシリンダー錠。
【請求項２】
前記ピニオンはピニオンフォロア軸に軸支され、前記スイングギアは前記内筒に軸支されると共に、当該スイングギアを支持するスイングプレートによりカムフォロア軸に係合している請求項１記載のタンブラー方式のシリンダー錠。
【請求項３】
前記ピニオンフォロア軸および前記カムフォロア軸は、前記内筒、および当該内筒と外筒との間に介挿されたリードカムに回転可能に軸支されている請求項１または２記載のタンブラー方式のシリンダー錠。
【請求項４】
前記リードカムの両側面には前記ピニオンフォロア軸および前記カムフォロア軸それぞれに対応したカム孔が設けられている請求項１乃至３のいずれか記載のタンブラー方式のシリンダー錠。
【発明の詳細な説明】
【技術分野】
【０００１】
本発明は、錠前を分解せずにキーの変換操作のみによってキーコードを変換することができるタンブラー方式のシリンダー錠に関する。
【背景技術】
【０００２】
従来から、施錠時に、コイルスプリングの弾撥力で複数のディスクタンブラーを内筒から外筒の溝に突出させ内筒が廻らないように構成し、開錠時には、鍵の差し込みによりディスクタンブラーを内筒側に移動させて外筒の溝から退避させ、開錠可能となるようにしたディスクタンブラー錠が周知の技術として存在する。
【０００３】
ところで、特許文献１に開示されているように、逆マスターキー、マスターキー、通常キーのキーコードの変換を錠前を分解する事なく、キーの変換操作のみによってキーコードを変換することができるレバータンブラー方式のシリンダー錠が存在する。すなわち、これは、外筒と、これに回転可能に挿入され複数のタンブラー及び夫々のタンブラーを区画する仕切り板を備えた内筒と、該内筒の一部に配設され外筒方向へ突出するよう付勢されたロッキングバーとを備え、前記各タンブラーは一部が相互に係合可能に配設された第１のタンブラーと第２のタンブラーとからなり、前記第１のタンブラーと第２のタンブラーとの係合する位置を変更する事により前記各タンブラーの解錠位置の変更をすると共に、前記両タンブラーを所定の解錠位置で固定可能な固定プレートが設けられているものである。
【０００４】
そして、キーコード変換を行う場合には、先ず、現在のキーコードに適合した変換キーを挿入し、内筒を変換位置まで１８０度回転させる。内筒を変換位置まで回転させると、第１のタンブラー軸がタンブラー軸ガイド溝にしたがって移動し、第１のタンブラーと第２のタンブラーとの係合が解除される。この状態で、新たなキーコードの鍵を挿入すると、付勢されていた第２のタンブラーが、前記鍵のキー山の刻みの深さに対応して逆方向に後退する。この様に、長手方向に並んだ複数の第２のタンブラーの位置が、新たなキーコードの刻みの深さに対応して後退する。そして、キーコード変換位置における状態から内筒を元の位置に戻すと、第１のタンブラー軸は下に移動するので、その結果、第１のタンブラーの係合用歯部も下に移動されて、当該係合用歯部と第２のタンブラーの歯部とが噛合する。その結果、第１のタンブラーの係合用歯部と第２のタンブラーの歯部が係合し、新たなキーコードが確定する。
【特許文献１】特許第３０３４２３０号公報
【発明の開示】
【発明が解決しようとする課題】
【０００５】
しかしながら、従来においては、両タンブラーを所定の解錠位置で固定可能な固定プレートが設けられているため、キーコード変換を行うに際し、新たなキーコードの鍵を挿入すると、第２のタンブラーの付勢力に抗して、前記鍵のキー山の刻みの深さに対応すべく逆方向に強制的に後退させることから、タンブラー自体に摩耗が発生し易くなり、しかもこれによってキーコード変換操作に誤動作を生じてしまう虞があるという問題点を有していた。
【０００６】
そこで、本発明は、叙上のような従来存した諸事情に鑑み案出されたもので、タンブラー自体に摩耗を発生させず、キーコード変換操作が誤動作を生じさせずに的確に行えるようにしたタンブラー方式のシリンダー錠を提供することを目的とする。
【課題を解決するための手段】
【０００７】
上述した課題を解決するため、本発明にあっては、外筒と、これに回転可能に挿入された内筒と、内筒に区画形成されている仕切溝に配された複数のタンブラーおよび各タンブラーに係合可能な複数のピニオンと、各ピニオンに対応して内筒の一部に配置され、外筒方向へ突出するよう押圧されたサイドバーとを備え、タンブラーとピニオンとの係合位置を変更することにより当該タンブラーの解錠位置を変更するタンブラー方式のシリンダー錠であって、前記タンブラーを、当該タンブラーの解錠稼動領域を回避した位置で固定可能とするスイングギアを設けたことを特徴とする。
【０００８】
前記ピニオンはピニオンフォロア軸に軸支され、前記スイングギアは前記内筒に軸支されると共に、当該スイングギアを支持するスイングプレートによりカムフォロア軸に係合している。
【０００９】
前記ピニオンフォロア軸および前記カムフォロア軸は、前記内筒、および当該内筒と外筒との間に介挿されたリードカムに回転可能に軸支されている。
【００１０】
前記リードカムの両側面には前記ピニオンフォロア軸および前記カムフォロア軸それぞれに対応したカム孔が設けられている。
【発明の効果】
【００１１】
本発明によれば、キーの抜き差しによるタンブラー自体の摩耗を軽減し、またキーコード変換操作が誤動作を生じさせずに的確に行うことができる。
【発明を実施するための最良の形態】
【００１２】
以下、図面を参照して本発明を実施するための最良の一形態を説明する。
本発明に係るタンブラー方式のシリンダー錠は、図１に示すように、外筒１と、これに回転可能に挿入された内筒２と、該内筒２に区画形成された仕切溝２ａに配された複数の揺動可能なタンブラー３、タンブラー３に係合可能としたピニオン４およびスイングプレート５それぞれと、該内筒２の一部に配置され、外筒１方向へ突出するよう押圧されたサイドバー６と、タンブラー３を当該タンブラー３の解錠稼動領域を回避した位置で固定可能とする前記スイングプレート５に支持されたスイングギア７と、カムフォロア軸８、ピニオンフォロア軸９と、これらカムフォロア軸８およびピニオンフォロア軸９それぞれの両端部をスライド可能に軸支させるための一対のカム孔１０ａ、１０ｂを備えたリードカム１０とから概ね構成されている。
【００１３】
このとき、タンブラー３とピニオン４は一部が相互に係合可能に配置されており、該係合位置を変更することにより前記タンブラー３の解錠位置を変更すると共に、前記スイングプレート５に支持されたスイングギア７は、各タンブラー３を当該タンブラー３の解錠稼動領域を回避した位置で固定可能としている。このタンブラー３の解錠稼動領域を回避した位置とは、ピニオン４との係合部位を除いたタンブラー３の歯部３ｂの端部近辺を示す。
【００１４】
図１または図６に示すように、外筒１の内壁には、長手方向に沿って例えば１００°間隔の二つの条溝１ａが形成され、後述するサイドバー６の一端が係合されるようにしている。また、内筒２は、両端側面にカムフォロア軸８、ピニオンフォロア軸９それぞれの両端部をスライド可能に軸支させるための一対のカム孔１０ａ、１０ｂを備えてなる略筒状のリードカム１０に挿入され、該リードカム１０自体は外筒１に挿入されている。これらリードカム１０のカム孔１０ａ、１０ｂは、図６に示すように、円周に沿って前後に並設され、共に同じ方向の一端側は若干内側に折曲されている。
【００１５】
図２および図３に示すように、タンブラー３は、略矩形環状に形成され、タンブラー３中央のキー孔の開口一側縁部に、キー溝が係合する半円状の突起部３ａを設け、且つ一端側が外側に向けて若干湾曲しており、この湾曲部側の一部には、歯部３ｂを備えている。そして、図１乃至図４に示すように、これらタンブラー３の例えば１０個を、内筒２に区画形成された１０個の仕切溝２ａそれぞれに内挿され、且つ各タンブラー３の他端側に突出したアーム部３ｃに挿入されている支軸３ｄを内筒２に回動可能に装着することで、各タンブラー３は内筒２の仕切溝２ａ内で支軸３ｄを支点として上下に揺動できるようにしてある。
【００１６】
また、タンブラー３は、図２、図３および図６に示すように、内筒２に内挿され且つ一端でバネ押さえ板１１によって保持されている圧縮コイルバネＳの他端によってアーム部３ｃ上側を押圧することで内筒２のストッパ壁面Ｖに向けて付勢されている。そして、全タンブラー３の両側には、前記支軸３ｄを介してアーム部３ｃと共に揺動可能とし、且つ圧縮コイルバネＳによって付勢された略コ字枠状の確認タンブラー１２が配されている。
【００１７】
また、図１および図６に示すように、ピニオン４は、１０個のタンブラー３に対応して１０個がピニオンフォロア軸９に軸支され、該ピニオンフォロア軸９の両端はリードカム１０のカム孔１０ｂに沿ってスライド自在に軸支されていることで各タンブラー３の歯部３ｂに対し係脱可能となるように内筒２の仕切溝２ａ内に配されている。そして、各ピニオン４の一端に形成された凹部４ａには、サイドバー６の一側部が係合し、サイドバー６の両端は圧縮コイルバネＳによって外筒１方向に付勢され、前記した外筒１内壁の二つの条溝１ａのいずれかに係合されるようになっている。
【００１８】
また、スイングギア７は、前記内筒２に軸支されると共に、該スイングギア７の両側に嵌着された略紡錘形の一対のスイングプレート５を介してカムフォロア軸８に連結され、該カムフォロア軸８の両端がリードカム１０のカム孔１０ａに沿ってスライド自在に軸支されることでタンブラー３の歯部３ｂに対し係脱可能となるように内筒２の仕切溝２ａ内に配されている。すなわち、スイングギア７は、その長さ方向に沿って係合爪部７ａを有し、該係合爪部７ａがタンブラー３の歯部３ｂに係脱可能に係合するようになっている。
【００１９】
さらに、図１および図４に示すように、内筒２の奥端には、所定角度回転可能な連結爪１３が内筒２に係合するように圧縮コイルバネＳによって付勢された連結カム１４によって内筒２と一体回転可能にして配設されている。ここで、先端部が短い通常キーＫ２を差し込んだ場合には、図４に示すように、当該通常キーＫ２によって連結爪１３が押されないため、内筒２と連結爪１３とは係合したままの状態を維持しており、このため、内筒２・リードカム１０・連結爪１３・連結カム１４は連動して回転するが、連結カム１４の回転規制爪（不図示）がストッパ板１５中央の半円状開口における略直線状の回転規制部１５ａに係止して規制されるので、内筒２単独ではキーコード変換位置まで回転しないものとなっている。
【００２０】
また、図５に示すように、先端部が若干長く形成されている変換キーＫ１を差し込むと連結爪１３は圧縮コイルバネＳの付勢力に抗して押圧され、中央の半円状開口における略直線状の回転規制部１５ａを設けたストッパ板１５およびＣリング状の止め輪１６を介して外筒１に固定された状態となる。また、連結カム１４およびリードカム１０も連結爪１３を介して外筒１に固定される。一方、内筒２は連結爪１３との係合が解除されて、キーコード変換位置まで回転可能となる。
【００２１】
内筒２の最後部にある確認タンブラー１２は、図３のリセット状態（詳しくは後述する）においては、内筒２後部の一側内壁面に形成された段部に対応してバネ支持突起１２ａが突設され、段部とバネ支持突起１２ａとの間に介挿された圧縮コイルバネＳによって、確認タンブラー１２の端部に設けられた係合突起１２ｂが、ピニオンフォロア軸９とサイドバー６との隙間に係合している。通常キーＫ２の挿入が浅いと確認タンブラー１２が回転しないため、サイドバー６が外筒１の条溝１ａでロックされ、内筒２の回動を阻止する。
【００２２】
キー孔に通常キーＫ２が正常に挿入されると、通常キーＫ２のキー溝で確認タンブラー１２を回転させて、当該確認タンブラー１２の係合突起１２ｂがピニオンフォロア軸９とサイドバー６との隙間から外れる。そして、内筒２自体はキーガイド１８および連結カム１４と一体化して回転可能となる。
【００２３】
尚、図１および図４に示すように、内筒２のキー挿入側は外筒キャップ１７を介して、中央にキー孔を有するキーガイド１８が外筒１に対し回転可能となるように配される。
【００２４】
次に、以上のように構成された最良の形態についての使用、動作の一例を第６図乃至第８図に基づいて説明する。
図６（ａ）は通常キーＫ２によって施錠・解錠可能な錠前の通常使用状態の一例を示している。この状態からキーコード変換を行なう場合は、以下の操作による。
【００２５】
先ず、前記通常キーＫ２に換って先端の長い変換キーＫ１をキー孔に差し込み、内筒２を回転可能な状態としてから時計方向へ図６（ｂ）の位置まで（約１００度）回転させると、サイドバー６が外筒１の図６（ａ）に示す条溝１ａから図６（ｂ）に示す条溝１ａへ移動して係合すると同時に、ピニオン４は、図６（ｃ）に示すように、ピニオンフォロア軸９の両端がリードカム１０のカム孔１０ｂの端部まで外方向を時計方向へスライドするため、タンブラー３の歯部３ｂに対する係合から外れる。
【００２６】
ここで、変換キーＫ１をキー孔から引き抜くと、図６（ｂ）に示すように、タンブラー３は圧縮コイルバネＳの付勢力によって内筒２のストッパ壁面Ｖに当接するまで押圧回転されると同時に、スイングギア７はもとより、ピニオン４もタンブラー３の歯部３ｂに対する係合から外れることによってキーコードのリセット状態となる。
【００２７】
この状態で、キー孔に新たなキーコードを有する変換キーＫ１１を差し込み、内筒２を反時計方向へ回転させる。図７（ａ）は、この回転途中（キーコード変換直前位置）を示している。ここではサイドバー６は外筒１の２個の条溝１ａの略中間部に位置する一方、回転途中のタンブラー３は、その開口一側線部に設けられた突起部３ａと変換キーＫ１１のキー山の高い部分とが接触（あるいは近接）状態にある。
【００２８】
同時に、ピニオンフォロア軸９の両端が、図８（ａ）に示すように、リードカム１０のカム孔１０ｂに沿って外方向へスライドするため、ピニオン４は、図７（ａ）に示すように、タンブラー３の歯部３ｂとの係合から外れた状態となり、一方、スイングギア７のカムフォロア軸８の両端も、リードカム１０のカム孔１０ａに沿って外方向へスライドするため、スイングギア７は、図７（ａ）に示すように、タンブラー３の歯部３ｂとは外れた位置（図では上方）で接触している。
【００２９】
ここで、さらに変換キーＫ１１を反時計方向へ図７（ｂ）に示す位置まで回転させると、ピニオンフォロア軸９の両端が、図８（ｂ）に示すように、リードカム１０のカム孔１０ｂに沿って図８（ａ）と同じ円周上をスライドするため、ピニオン４は、前記同様、タンブラー３の歯部３ｂとの係合から外れた状態を維持し、一方、スイングギア７のカムフォロア軸８の両端は、リードカム１０のカム孔１０ａに沿って内方向へスライドするため、スイングギア７は、その係合爪部７ａがタンブラー３の歯部３ｂ上端と係合する。
【００３０】
このとき、スイングギア７は一歯分だけタンブラー３を反時計方向へ送り込むため、接触していたタンブラー３の突起３ａと変換キーＫ１１とを離間させる。これによって、変換キーＫ１１と対応する通常キー（不図示）とタンブラー３はキーの抜き差しで接触しないのでその分タンブラー３の摩耗損傷等を回避することができる。
【００３１】
そして、さらに変換キーＫ１１を反時計方向へ図７（ｃ）に示す位置まで回転させると、ピニオンフォロア軸９の両端が、図８（ｃ）に示すように、リードカム１０のカム孔１０ｂに沿って内方向の終端までスライドするため、ピニオン４は、タンブラー３の歯部３ｂ下端と係合し、一方、スイングギア７のカムフォロア軸８の両端も、リードカム１０のカム孔１０ａに沿って内方向の終端までスライドするため、スイングギア７は、前記図７（ｂ）と同様、その係合爪部７ａがタンブラー３の歯部３ｂ上端と係合しており、同時にサイドバー６も、外筒１の条溝１ａに係合している。
【００３２】
このようにタンブラー３は、当該タンブラー３の解錠稼動領域を回避した位置において、スイングギア７によってキー溝の高い位置（ブランクキーの位置）に固定されると共に、このタンブラー３の位置でピニオン４がタンブラー３の歯部３ｂに係合されることによって新たなキーコードが設定される。以降はこのような新たなキーコードに対応したキーによって施錠・解錠が可能となるものである。そして、このように新たなキーコードが設定されたとき、タンブラー３はスイングギア７によってキー溝の高い位置だけで固定されるため、キーおよびタンブラー３の摩耗損傷等を減少させることができる。
【図面の簡単な説明】
【００３３】
【図１】本発明を実施するための最良の形態におけるシリンダー錠の分解斜視図である。
【図２】同じくタンブラーとピニオンとの噛合配置状態を説明する一部概略の斜視図である。
【図３】同じくタンブラー、ピニオン、スイングギア、確認タンブラーそれぞれの配置関係を説明する一部概略の斜視図である。
【図４】同じくシリンダー錠に通常キーを差し込んだ状態の断面図である。
【図５】同じくシリンダー錠に変換キーを差し込んだ状態の断面図である。
【図６】同じくシリンダー錠の断面図で、（ａ）は通常キーによって施錠・解錠可能な錠前の通常使用状態を示す断面図であり、（ｂ）は変換キーの挿入・回転・引き抜きによってキーコードのリセット状態を示す断面図であり、（ｃ）は前記（ｂ）の状態におけるピニオンフォロア軸とカムフォロア軸の位置を示す断面図である。
【図７】同じくシリンダー錠の図４Ａ−Ａ断面図で、（ａ）はキーコードの変換前の状態を示す断面図であり、（ｂ）はキーコードの変換途中を示す断面図であり、（ｃ）はキーコードの変換終了後新たなキーコードに設定された状態を示す断面図である。
【図８】同じくシリンダー錠の断面図で、（ａ）は図７（ａ）の状態におけるピニオンフォロア軸とカムフォロア軸の位置を示す断面図であり、（ｂ）は図７（ｂ）の状態におけるピニオンフォロア軸とカムフォロア軸の位置を示す断面図であり、（ｃ）は図７（ｃ）の状態におけるピニオンフォロア軸とカムフォロア軸の位置を示す断面図である。
【符号の説明】
【００３４】
Ｋ１            変換キー
Ｋ２            通常キー
Ｋ１１          変換キー
Ｓ              圧縮コイルバネ
Ｖ              ストッパ壁面
１              外筒
１ａ            条溝
２              内筒
２ａ            仕切溝
３              タンブラー
３ａ            突起部
３ｂ            歯部
３ｃ            アーム部
３ｄ            支軸
４              ピニオン
４ａ            凹部
５              スイングプレート
６              サイドバー
７              スイングギア
７ａ            係合爪部
８              カムフォロア軸
９              ピニオンフォロア軸
１０            リードカム
１０ａ、１０ｂ  カム孔
１１            バネ押さえ板
１２            確認タンブラー
１２ａ          バネ支持突起
１２ｂ          係合突起
１３            連結爪
１４            連結カム
１５            ストッパ板
１５ａ          回転規制部
１６            止め輪
１７            外筒キャップ
１８            キーガイド
【図１】
2008255644.tif 000003
【図２】
2008255644.tif 000004
【図３】
2008255644.tif 000005
【図４】
2008255644.tif 000006
【図５】
2008255644.tif 000007
【図６】
2008255644.tif 000008
【図７】
2008255644.tif 000009
【図８】
2008255644.tif 000010